(57)【特許請求の範囲】
【請求項１】
回転軸線を中心として所定回転方向に回転する本体部と、
前記本体部に配置された複数の第１羽根と、
前記本体部に配置された複数の第２羽根と
を備え、
前記複数の第１羽根の各々の形状は、中央部が前記所定回転方向の反対方向に向かって突出する円弧状であり、
前記複数の第２羽根の各々の形状は、中央部が前記所定回転方向の反対方向に向かって突出する円弧状であり、
前記複数の第１羽根及び前記複数の第２羽根は、前記回転軸線の円周方向に沿って交互に配列され、
第１間隔は第２間隔より小さく、
前記第１間隔は、前記所定回転方向における前記第２羽根の後方に位置する前記第１羽根と前記第２羽根との間の距離を示し、
前記第２間隔は、前記所定回転方向における前記第１羽根の後方に位置する前記第２羽根と前記第１羽根との間の距離を示し、
前記複数の第１羽根の各々において、前記第１羽根の外方端部から内方端部までの距離を示す第１長さは、前記本体部の半径以下であり、
前記複数の第２羽根の各々において、前記第２羽根の外方端部から内方端部までの距離を示す第２長さは、前記第１長さ以下である、羽根車。
【請求項２】
前記第１長さは、前記本体部の半径の４０％以上７０％以下である、請求項１に記載の羽根車。
【請求項３】
前記本体部は、内周領域と外周領域とを有し、
前記内周領域は、前記回転軸線を中心とした略円形の領域を示し、
前記外周領域は、前記内周領域を囲む略円環形の領域を示し、
前記複数の第１羽根の各々の外方端部及び前記複数の第２羽根の各々の外方端部は、前記外周領域の外縁に沿って配置され、
前記複数の第１羽根の各々の内方端部及び前記複数の第２羽根の各々の内方端部は、前記外周領域に配置され、
前記内周領域の半径は、前記本体部の半径の半分の長さである、請求項１又は請求項２に記載の羽根車。
【請求項４】
前記複数の第１羽根及び前記複数の第２羽根の各々の形状は、中心に向かって突出する鋭角を有する、請求項１から請求項３のいずれか１項に記載の羽根車。
【請求項５】
前記所定回転方向における前記第２羽根の後方に位置する前記第１羽根の外方端部と、前記第２羽根の外方端部との間の距離は、略第１間隔であり、
前記所定回転方向における前記第２羽根の後方に位置する前記第１羽根の内方端部と、前記第２羽根の内方端部との間の距離は、略第１間隔である、請求項１から請求項４のいずれか１項に記載の羽根車。
【請求項６】
前記第２長さは、前記第１長さの３５％以上１００％未満である、請求項１から請求項５のいずれか１項に記載の羽根車。
【請求項７】
前記第２長さは、前記第１長さの５０％以上７５％以下である、請求項６に記載の羽根車。
【請求項８】
請求項１から請求項７のいずれか１項に記載の羽根車と、
前記羽根車が収容される筐体と、
前記羽根車を駆動する駆動部と
を備え、
前記筐体は、
液体が吸込まれる吸込孔と、
前記液体が排出される排出孔と
を有する、ポンプ。
【請求項９】
請求項８に記載のポンプと、
加湿部と
を備え、
前記加湿部は、
吸水性を有する加湿フィルタと、
前記加湿フィルタの下方に配置され、前記液体としての水を収容する加湿トレーと
を有し、
前記ポンプは、前記加湿トレーから前記水を汲上げる、加湿装置。
【発明の詳細な説明】
【技術分野】
【０００１】
本発明は、羽根車、ポンプ及び加湿装置に関する。
【背景技術】
【０００２】
特許文献１に記載のポンプ水車は、複数の第１羽根と、複数の第２羽根とを備える。複数の第１羽根の各々の翼長は、長い。複数の第２羽根の各々の翼長は、短い。そして、複数の第１羽根と複数の第２羽根とは、円周方向に交互に所定間隔をおいて配列されている。
【先行技術文献】
【特許文献】
【０００３】
【特許文献１】特開２０００−２０５１０１号公報
【発明の概要】
【発明が解決しようとする課題】
【０００４】
しかしながら、特許文献１に記載のポンプ水車では、第１羽根の枚数及び第２羽根の枚数を多くすると、吸込む水の量が少なくなる。一方、第１羽根の枚数及び第２羽根の枚数を少なくすると、第１羽根と第２羽根との間の間隔が大きくなり、第１羽根と第２羽根との間から半径方向（所謂、流出方向）に吹出される水の速度が、遅くなる。その結果、吹出される水に偏流が発生することがあった。例えば、特許文献１に記載のポンプ水車では、ポンプの下方領域からポンプの上方領域まで所定量の水を送水するときの時間が長かった。すなわち、特許文献１に記載のポンプ水車では、第１領域から第２領域まで所定量の水を送水するときの時間が長かった。
【０００５】
本発明は、上記課題に鑑みてなされたものであり、第１領域から第２領域まで水を送水するときの送水効率を向上できる羽根車、ポンプ及び加湿装置を提供することを目的としている。
【課題を解決するための手段】
【０００６】
本発明の一局面によれば、羽根車は、本体部と、複数の第１羽根と、複数の第２羽根とを備える。前記本体部は、回転軸線を中心として所定回転方向に回転する。前記複数の第１羽根は、前記本体部に配置される。前記複数の第２羽根は、前記本体部に配置される。前記複数の第１羽根及び前記複数の第２羽根は、前記回転軸線の円周方向に沿って交互に配列される。第１間隔は第２間隔より小さい。前記第１間隔は、前記所定回転方向における前記第２羽根の後方に位置する前記第１羽根と前記第２羽根との間の距離を示す。前記第２間隔は、前記所定回転方向における前記第１羽根の後方に位置する前記第２羽根と前記第１羽根との間の距離を示す。前記複数の第１羽根の各々において、前記第１羽根の外方端部から内方端部までの距離を示す第１長さは、前記本体部の半径以下である。前記複数の第２羽根の各々において、前記第２羽根の外方端部から内方端部までの距離を示す第２長さは、前記第１長さ以下である。
【０００７】
本発明の一局面によれば、ポンプは、前記羽根車と、筐体と、駆動部とを備える。前記筐体に、前記羽根車が収容される。前記駆動部は、前記羽根車を駆動する。前記筐体は、液体が吸込まれる吸込孔と、前記液体が排出される排出孔とを有する。
【０００８】
本発明の一局面によれば、加湿装置は、前記ポンプと、加湿部とを備える。前記加湿部は、吸水性を有する加湿フィルタと、前記加湿フィルタの下方に配置され、前記液体としての水を収容する加湿トレーとを有する。前記ポンプは、前記加湿トレーから前記水を汲上げる。
【発明の効果】
【０００９】
本発明に係る羽根車、ポンプ及び加湿装置によれば、第１領域から第２領域まで水を送水するときの送水効率を向上できる。
【図面の簡単な説明】
【００１０】
【図１】本発明の実施形態１に係る羽根車の一例を示す斜視図である。
【図２】実施形態１に係る羽根車の一例を示す底面図である。
【図３】実施形態１に係る水槽ポンプの一例を示す斜視図である。
【図４】実施形態１に係る水槽ポンプの一例を示す分解図である。
【図５】比較例に係る羽根車の一例を示す底面図である。
【図６】実施形態１に係る羽根車の一例を示す底面図である。
【図７】本発明の実施形態２に係る羽根車の一例を示す斜視図である。
【図８】実施形態２に係る加湿機ポンプの一例を示す斜視図である。
【図９】加湿装置を示す斜視図である。
【図１０】加湿装置の内部を示す模式図である。
【図１１】評価結果を示す図である。
【発明を実施するための形態】
【００１１】
以下、本発明の実施形態について、図面を参照しながら説明する。なお、図中、同一又は相当部分については同一の参照符号を付して説明を繰り返さない。
【００１２】
＜実施形態１＞
図１及び図２を参照して、本発明の実施形態１に係る羽根車１の構成について説明する。図１は、実施形態１に係る羽根車１の一例を示す斜視図である。図２は、実施形態１に係る羽根車１の一例を示す底面図である。なお、本実施形態では、図中に、互いに直交するＸ軸、Ｙ軸及びＺ軸を示す。Ｚ軸は鉛直方向に平行であり、Ｘ軸及びＹ軸は水平方向に平行である。また、実施形態１では、Ｚ軸の正方向は、羽根車１の後面側を示す。羽根車１の回転軸線ＡＸは、Ｚ軸に沿っている。
【００１３】
図１及び図２に示すように、羽根車１は、羽根車本体５０と、棒状体４０とを備える。羽根車本体５０は、本体部１０と、複数の第１羽根２０と、複数の第２羽根３０とを備える。羽根車本体５０の材料は、例えば合成樹脂又は金属であり、軽量化の点で合成樹脂であることが好ましい。
【００１４】
本体部１０は、回転軸部１１と、円板部１２とを有する。回転軸部１１は、回転軸線ＡＸを中心として所定回転方向ＡＲに回転する。具体的には、回転軸部１１は、略円筒体である。
【００１５】
円板部１２は、回転軸線ＡＸ上に中心が位置し、回転軸線ＡＸに対して垂直な円板体を有する。円板部１２の半径は、長さＲＡである。長さＲＡは、例えば１．５ｃｍである。円板部１２の上面の中央部が、回転軸部１１の下端部に取付けられている。また、円板部１２の下面は、内周領域ＥＢと外周領域ＥＡとを有する。また、円板部１２の下面は、Ｚ軸の負方向側に位置する。内周領域ＥＢは、回転軸線ＡＸを中心とした略円形の領域を示す。具体的には、内周領域ＥＢは、円板部１２の半径ＲＡの半分の半径ＲＢを有する円形の領域である。外周領域ＥＡは、内周領域ＥＢを囲む略円環形の領域を示す。具体的には、外周領域ＥＡは、円板部１２のうち、円板部１２の内周領域ＥＢが除外された円環形状の領域を示す。
【００１６】
複数の第１羽根２０は、例えば６枚の第１羽根２０である。具体的には、複数の第１羽根２０は、第１羽根２１と、第１羽根２２と、第１羽根２３と、第１羽根２４と、第１羽根２５と、第１羽根２６とを含む。
【００１７】
詳細には、複数の第１羽根２０の各々は、板状体である。板状体は、所定の高さを有する。複数の第１羽根２０の各々は、互いに同一形状をなす。複数の第１羽根２０の各々の形状は、略円弧状である。具体的には、複数の第１羽根２０の各々の形状は、中央部が回転方向ＡＲと反対方向に突出する円弧状である。また、複数の第１羽根２０の各々は、半径方向に対して傾斜している。具体的には、複数の第１羽根２０の各々は、半径方向に対して２２°、傾斜している。
【００１８】
更に詳細には、複数の第１羽根２０の上端部の各々は、円板部１２の下面に取付けられている。複数の第１羽根２０の外方端部２０ａの各々は、外周領域ＥＡの外縁に沿って配置される。第１羽根２０の両端部のうちの外方端部２０ａは回転軸線ＡＸから遠くに位置する。また、複数の第１羽根２０の内方端部２０ｂの各々は、外周領域ＥＡに配置される。内方端部２０ｂは、回転軸線ＡＸから外方端部２０ａより近くに位置する。第１長さＬＡは、円板部１２の半径ＲＡ以下である。第１長さＬＡは、複数の第１羽根２０の各々において、第１羽根２０の外方端部２０ａから内方端部２０ｂまでの距離を示す。具体的には、第１長さＬＡは、第１羽根２０の外方端部２０ａから内方端部２０ｂまでの第１羽根２０に沿った距離を示す。
【００１９】
複数の第１羽根２０は、円周方向ＡＲに所定間隔ＤＤをおいて配列されている。具体的には、複数の第１羽根２０の外方端部２０ａは、円周方向ＡＲに所定間隔ＤＤをおいて配列されている。
【００２０】
複数の第２羽根３０は、例えば６枚の第２羽根３０である。具体的には、複数の第２羽根３０は、第２羽根３１と、第２羽根３２と、第２羽根３３と、第２羽根３４と、第２羽根３５と、第２羽根３６とを含む。
【００２１】
詳細には、複数の第２羽根３０の各々は、板状体である。板状体は、所定の高さを有する。複数の第２羽根３０の各々は、互いに同一形状をなす。複数の第２羽根３０の各々の形状は、略円弧状である。具体的には、複数の第２羽根３０の各々の形状は、中央部が回転方向ＡＲと反対方向に突出する円弧状である。また、複数の第２羽根３０の各々は、半径方向に対して傾斜している。具体的には、複数の第２羽根３０の各々は、半径方向に対して３０°、傾斜している。
【００２２】
更に詳細には、複数の第２羽根３０の上端部の各々は、円板部１２の下面に取付けられている。複数の第２羽根３０の外方端部３０ａの各々は、外周領域ＥＡの外縁に沿って配置される。第２羽根３０の両端部のうちの外方端部３０ａは回転軸線ＡＸから遠くに位置する。また、複数の第２羽根３０の内方端部３０ｂの各々は、外周領域ＥＡに配置される。内方端部３０ｂは回転軸線ＡＸから外方端部３０ａより近くに位置する。第２長さＬＢは、第１長さＬＡ以下であり、第１長さＬＡの３５％以上１００％未満であることが好ましく、第１長さＬＡの５０％以上７５％以下であることが、より好ましい。第２長さＬＢは、複数の第２羽根３０の各々において、第２羽根３０の外方端部３０ａから内方端部３０ｂまでの距離を示す。具体的には、第２長さＬＢは、第２羽根３０の外方端部３０ａから内方端部３０ｂまでの第２羽根３０に沿った距離を示す。
【００２３】
複数の第２羽根３０は、円周方向ＡＲに所定間隔ＤＤをおいて配列されている。具体的には、複数の第２羽根３０の外方端部３０ａは、円周方向ＡＲに所定間隔ＤＤをおいて配列されている。
【００２４】
詳細には、複数の第１羽根２０及び複数の第２羽根３０は、回転軸線ＡＸの円周方向ＡＲに沿って交互に配列されている。第１間隔ＤＡは、第２間隔ＤＢより小さい。第１間隔ＤＡは、所定回転方向ＡＲにおける第２羽根３０の後方に位置する第１羽根２０と第２羽根３０との間の距離を示す。第２間隔ＤＢは、所定回転方向ＡＲにおける第１羽根２０の後方に位置する第２羽根３０と第１羽根２０との間の距離を示す。第１間隔ＤＡは、第２長さＬＢより小さいことが好ましい。
【００２５】
棒状体４０の下端部は、回転軸部１１に固定されている。その結果、棒状体４０が所定回転方向ＡＲに回転することにより、羽根車本体５０は所定回転方向ＡＲに回転する。
【００２６】
続けて、図３及び図４を参照して、羽根車１を備える水槽ポンプ６０について説明する。図３は、実施形態１に係る水槽ポンプ６０の一例を示す斜視図である。図４は、実施形態１に係る水槽ポンプ６０の一例を示す分解図である。水槽ポンプ６０は、ポンプの一例である。
【００２７】
図３及び図４に示すように、水槽ポンプ６０は、羽根車１と、筐体７０と、駆動部７１とを備える。筐体７０は、上側筐体６１と、下側筐体６２とを有する。
【００２８】
上側筐体６１は、筐体本体部６１ａと、排出孔６１ｂと、モータ連結孔６１ｃとを有する。筐体本体部６１ａは、上壁と側壁とを有する。上壁には、排出孔６１ｂと、略円筒形のモータ連結孔６１ｃとが連結されている。具体的には、排出孔６１ｂの形状は、略円筒形である。
【００２９】
下側筐体６２は、筐体本体部６２ａと、吸込孔６２ｂとを有する。筐体本体部６２ａは、下壁を有する。下壁には、吸込孔６２ｂが連結されている。具体的には、吸込孔６２ｂの形状は、排出孔６１ｂの直径と同じ直径を有する略円筒形である。
【００３０】
羽根車本体５０は、筐体７０に収容される。具体的には、羽根車本体５０は、筐体本体部６１ａと筐体本体部６２ａとの間に収容される。棒状体４０は、モータ連結孔６１ｃに収容される。また、羽根車本体５０の下方に、吸込孔６２ｂが配置される。
【００３１】
駆動部７１は、羽根車１を駆動する。具体的には、駆動部７１は、ＤＣモータである。詳細には、棒状体４０の他端部には、駆動部７１が取付けられる。その結果、棒状体４０が所定回転方向ＡＲに回転することにより、羽根車本体５０は所定回転方向ＡＲに回転する。
【００３２】
続けて、水槽ポンプ６０による水の流れについて説明する。第１水流ＷＡ、第２水流ＷＢ及び第３水流ＷＣの各々は、水の流れを示す。水は液体の一例である。第１水流ＷＡは、水槽ポンプ６０に吸込まれる水の流れを示す。第２水流ＷＢは、水槽ポンプ６０内の水の流れを示す。第３水流ＷＣは、水槽ポンプ６０から排出される水の流れを示す。第１水流ＷＡ及び第３水流ＷＣの各々は、Ｚ軸に沿っている。第２水流ＷＢは、Ｘ軸に沿っている。
【００３３】
吸込孔６２ｂの周囲である第１領域の水は、吸込孔６２ｂに吸込まれる。吸込孔６２ｂに吸込まれた水は、第１水流ＷＡに沿って流れる。第１水流ＷＡに沿って流れた水は、羽根車１によって、第２水流ＷＢに沿って吹出される。第２水流ＷＢに沿って吹出された水は、排出孔５１ｂに吸込まれる。排出孔５１ｂに吸込まれた水は、第３水流ＷＣに沿って流れる。第３水流ＷＣに沿って流れた水は、排出孔５１ｂから、排出孔６１ｂの周囲である第２領域に排出される。その結果、第１領域から第２領域まで所定量の水を送水できる。
【００３４】
ここで、図５を参照して、比較例に係る羽根車１０１による水の流れについて説明する。図５は、比較例に係る羽根車１０１の一例を示す底面図である。
【００３５】
図５に示すように、羽根車１０１は、６枚の第１羽根１２０を備える。６枚の第１羽根１２０の各々の形状は、平板状である。６枚の第１羽根１２０の各々は、半径方向に対して３０°、傾斜している。複数の第１羽根１２０の外方端部１２０ａの各々は、外周領域ＥＡの外縁に沿って配置される。また、複数の第１羽根１２０の内方端部１２０ｂの各々は、外周領域ＥＡに配置されている。第１長さＬＣは、円板部１１２の半径ＲＡ以下である。６枚の第１羽根１２０の外方端部１２０ａは、円周方向ＡＲに所定間隔ＤＤをおいて配列されている。
【００３６】
羽根車１０１は、回転軸線ＡＸを中心として所定回転方向ＡＲに回転する。その結果、羽根車１０１によって、第１羽根１２０と第１羽根１２０との間から、第２水流ＷＢに沿って水が吹出される。所定間隔ＤＤが大きいため、第２水流ＷＢに沿って吹出される水ＳＣの速度が遅い。よって、第２水流ＷＢに沿って吹出される水ＳＣが所定回転方向ＡＲと逆方向に回り込む。その結果、すべり角αが大きくなる。つまり、偏流が発生する。また、複数の第１羽根１２０の各々の後方に位置する剥離領域ＥＣが大きくなる。
【００３７】
続けて、図６を参照して、実施形態１に係る羽根車１による水の流れについて説明する。図６は、実施形態１に係る羽根車１の一例を示す底面図である。
【００３８】
図６に示すように、羽根車１によって、第１水ＳＡが、第２羽根３０と第１羽根２０との間から、第２水流ＷＢに沿って吹出される。第１間隔ＤＡが非常に小さいため、第２水流ＷＢに沿って吹出される第１水ＳＡの速度が非常に速い。よって、第２水流ＷＢに沿って吹出される第１水ＳＡが所定回転方向ＡＲと逆方向に回り込むことを抑制できる。
【００３９】
また、羽根車１によって、第２水ＳＢが、第２羽根３０と第１羽根２０との間から、第２水流ＷＢに沿って吹出される。第２間隔ＤＢが小さいため、第２水流ＷＢに沿って吹出される第２水ＳＢの速度が速い。第２水流ＷＢに沿って吹出される第２水ＳＢが所定回転方向ＡＲと逆方向に回り込もうとした場合、第１水ＳＡの流れに阻害される。よって、第２水流ＷＢに沿って吹出される第２水ＳＢが所定回転方向ＡＲと逆方向に回り込むことも抑制される。その結果、すべり角αが小さくなる。つまり、偏流が発生することが抑制される。また、複数の第１羽根２０の各々の後方に位置する剥離領域ＥＣが小さくなる。
【００４０】
以上、図１から図６を参照して説明したように、羽根車１によれば、所定回転方向ＡＲにおける第２羽根３０の後方に位置する第１羽根２０と第２羽根３０との間の距離は、所定間隔ＤＤに対して小さい。その結果、第２水流ＷＢに沿って吹出される第１水ＳＡの速度が非常に速い。よって、第１水ＳＡ及び第２水ＳＢが所定回転方向ＡＲと逆方向に回り込むことを抑制できる。その結果、偏流が発生することが抑制される。例えば、ポンプの上方領域のような第１領域から、ポンプの下方領域のような第２領域まで水を送水するときの送水効率を向上できる。送水効率は、単位時間当たりの送水量、所定量の水を送水するときの時間、又は、水速である。詳細には、ポンプの上方領域のような第１領域から、ポンプの下方領域のような第２領域まで所定量の水を送水するときの時間を短縮できる。
【００４１】
複数の第２羽根３０の外方端部３０ａ及び複数の第２羽根３０の外方端部３０ａの各々は、外周領域ＥＡの外縁に沿って配置される。また、複数の第２羽根３０の外方端部３０ａ及び複数の第２羽根３０の外方端部３０ａの各々は、外周領域ＥＡに配置される。つまり、複数の第２羽根３０及び複数の第２羽根３０は、内周領域ＥＢに配置されない。よって、複数の第２羽根３０の枚数及び複数の第２羽根３０の枚数が増えても、吸込む水の量が小さくなることを抑制できる。その結果、第１領域から第２領域まで所定量の水を、より短時間で送水できる。
【００４２】
複数の第２羽根３０及び複数の第２羽根３０の各々の形状は、略円弧状である。よって、第１領域から第２領域まで所定量の水を、より短時間で送水できる。
【００４３】
＜実施形態２＞
図７を参照して、本発明の実施形態２に係る羽根車２０１の構成について説明する。図７は、実施形態２に係る羽根車１の一例を示す斜視図である。なお、実施形態２では、Ｘ軸の正方向は、羽根車１の後面側を示す。羽根車１の回転軸線ＢＸは、Ｘ軸に沿っている。
【００４４】
図７に示すように、羽根車１は、羽根車本体２５０と、磁石体２４０とを備える。羽根車本体２５０は、本体部２１０と、複数の第１羽根２２０と、複数の第２羽根２３０とを備える。羽根車本体２５０の材料は、例えば合成樹脂又は金属であり、軽量化の点で合成樹脂であることが好ましい。
【００４５】
本体部２１０は、回転軸部２１１と、円板部２１２とを有する。回転軸部２１１は、回転軸線ＢＸを中心として所定回転方向ＢＲに回転する。具体的には、回転軸部２１１は、略円筒体である。
【００４６】
円板部２１２は、回転軸線ＢＸ上に中心が位置し、回転軸線ＢＸに対して垂直な円板体と、円筒形状の側壁とを有する。円板部２１２の半径は、長さＲＡである。長さＲＡは、例えば２．５ｃｍである。円板部２１２の中央部が、回転軸部２１１に取付けられている。また、円板部２１２は、内周領域ＥＢと外周領域ＥＡとを有する。具体的には、円板部２１２の所定面は、内周領域ＥＢと外周領域ＥＡとを有する。また、円板部２１２の所定面は、Ｘ軸の負方向側に位置する。内周領域ＥＢは、回転軸線ＢＸを中心とした略円形の領域を示す。具体的には、内周領域ＥＢは、円板部２１２の半径ＲＡの半分の半径ＲＢを有する円形の領域である。外周領域ＥＡは、内周領域ＥＢを囲む略円環形の領域を示す。具体的には、外周領域ＥＡは、円板部２１２のうち、円板部２１２の内周領域ＥＢが除外された円環形状の領域を示す。
【００４７】
複数の第１羽根２２０は、例えば６枚の第１羽根２２０である。詳細には、複数の第１羽根２２０の各々は、板状体である。複数の第１羽根２２０の各々は、互いに同一形状をなす。複数の第１羽根２２０の各々の形状は、中央部が回転方向ＢＲと反対方向に突出する略円弧状である。
【００４８】
更に詳細には、複数の第１羽根２２０の各々は、円板部２１２に取付けられている。複数の第１羽根２２０の外方端部２２０ａの各々は、外周領域ＥＡの外縁に沿って配置される。また、複数の第１羽根２２０の内方端部２２０ｂの各々は、外周領域ＥＡに配置される。第１長さＬＡは、円板部２１２の半径ＲＡ以下である。第１長さＬＡは、複数の第１羽根２２０の各々において、第１羽根２２０の外方端部２２０ａから内方端部２２０ｂまでの距離を示す。
【００４９】
複数の第１羽根２２０は、円周方向ＢＲに所定間隔ＤＤをおいて配列されている。具体的には、複数の第１羽根２２０の外方端部２２０ａは、円周方向ＢＲに所定間隔ＤＤをおいて配列されている。
【００５０】
複数の第２羽根２３０は、例えば６枚の第２羽根２３０である。詳細には、複数の第２羽根２３０の各々は、板状体である。複数の第２羽根２３０の各々は、互いに同一形状をなす。複数の第２羽根２３０の各々の形状は、中央部が回転方向ＢＲと反対方向に突出する略円弧状である。
【００５１】
更に詳細には、複数の第２羽根２３０の各々は、円板部２１２に取付けられている。複数の第２羽根２３０の外方端部２３０ａの各々は、外周領域ＥＡの外縁に沿って配置される。また、複数の第２羽根２３０の内方端部２３０ｂの各々は、外周領域ＥＡに配置される。第２長さＬＢは、第１長さＬＡ以下であり、第１長さＬＡの３５％以上１００％未満であることが好ましく、第１長さＬＡの５０％以上７５％以下であることが、より好ましい。第２長さＬＢは、複数の第２羽根２３０の各々において、第２羽根２３０の外方端部２３０ａから内方端部２３０ｂまでの距離を示す。
【００５２】
複数の第２羽根２３０は、円周方向ＢＲに所定間隔ＤＤをおいて配列されている。具体的には、複数の第２羽根２３０の外方端部２３０ａは、円周方向ＢＲに所定間隔ＤＤをおいて配列されている。
【００５３】
詳細には、複数の第１羽根２２０及び複数の第２羽根２３０は、回転軸線ＢＸの円周方向ＢＲに沿って交互に配列されている。第１間隔ＤＡは、第２間隔ＤＢより小さい。第１間隔ＤＡは、所定回転方向ＢＲにおける第２羽根２３０の後方に位置する第１羽根２２０と第２羽根２３０との間の距離を示す。第２間隔ＤＢは、所定回転方向ＢＲにおける第１羽根２２０の後方に位置する第２羽根２３０と第１羽根２２０との間の距離を示す。
【００５４】
磁石体２４０は、本体部２１０内に固定されている。その結果、磁石体２４０が所定回転方向ＢＲに回転することにより、羽根車本体２５０は所定回転方向ＢＲに回転する。
【００５５】
続けて、図８を参照して、羽根車２０１を備える加湿機ポンプ２６０について説明する。図８は、実施形態２に係る加湿機ポンプ２６０の一例を示す斜視図である。加湿機ポンプ２６０は、ポンプの一例である。
【００５６】
図８に示すように、加湿機ポンプ２６０は、マグネット分離タイプの汲上げポンプである。具体的には、加湿機ポンプ２６０は、羽根車２０１と、筐体２６１と、駆動部２７１とを備える。
【００５７】
筐体２６１は、筐体本体部２６１ａと、略円筒形の排出孔２６１ｂとを有する。筐体本体部２６１ａは、器壁と、網状の吸込孔２６１ｃとを有する。
【００５８】
羽根車２０１は、筐体本体部２６１ａ内に収容される。
【００５９】
駆動部２７１は、羽根車２０１を駆動する。具体的には、駆動部２７１は、マグネットモータである。その結果、駆動部２７１により、羽根車２０１は所定回転方向ＢＲに回転する。
【００６０】
続けて、加湿機ポンプ２６０による水の流れについて説明する。第１水流ＷＤ及び第２水流ＷＥの各々は、水の流れを示す。第１水流ＷＤは、加湿機ポンプ２６０に吸込まれる水の流れを示す。第２水流ＷＥは、加湿機ポンプ２６０から排出される水の流れを示す。第１水流ＷＤは、Ｘ軸に沿っている。第２水流ＷＥは、Ｚ軸に沿っている。
【００６１】
筐体本体部２６１ａの周囲である第１領域の水は、吸込孔２６１ｃに吸込まれる。吸込孔２６１ｃに吸込まれた水は、第１水流ＷＤに沿って流れる。第１水流ＷＤに沿って流れた水は、羽根車２０１によって、第２水流ＷＥに沿って吹出される。第２水流ＷＥに沿って吹出された水は、排出孔２６１ｂに吸込まれる。排出孔２６１ｂに吸込まれた水は、第２水流ＷＥに沿って流れる。第２水流ＷＥに沿って流れた水は、排出孔２６１ｂから、排出孔２６１ｂの周囲である第２領域に排出される。
【００６２】
図９及び図１０を参照して、実施形態２に係る加湿機ポンプ２６０を備える加湿装置３００について説明する。図９は、加湿装置３００を示す斜視図である。図１０は、加湿装置３００の内部を示す模式図である。
【００６３】
図９及び図１０に示すように、加湿装置３００は、機器本体３０１と、送風機３３０と、加湿部３１０と、加湿機ポンプ２６０とを備える。機器本体３０１は、箱型形状に形成されている。機器本体３０１の前面下部には、加湿された空気を機器外に放出する吹出口３０３が形成されている。機器本体３０１の背面側には、吸込口３３１が形成されている。
【００６４】
送風機３３０は、機器本体３０１に回転自在に支持された円筒形のファン３１４と、ファン３１４を回転させるファンモータ３１５とを有する。そして、ファン３１４の回転により、空気を吸込口３３１から吸込み、加湿部３１０を通して吹出口３０３から加湿空気を放出する。
【００６５】
加湿部３１０は、加湿トレー３０７と、加湿フィルタ３０９と、散水部材３０８とを有する。
【００６６】
具体的には、加湿フィルタ３０９は、吸水性のある所定厚みの不織布が上方からみてＷ字状に連続して折り曲げられてジグザグ状に形成されたものである。空気が折曲面に向かって吹付けられて、加湿フィルタ３０９に吸着した水分が気化される。
【００６７】
加湿トレー３０７は、加湿フィルタ３０９の下方に配置され、液体としての水を収容する。具体的には、加湿トレー３０７は、上面が開放した箱形形状に形成されている。
【００６８】
散水部材３０８は、加湿フィルタ３０９に水を散水する。散水部材３０８は、加湿フィルタ３０９の上方部にある。加湿フィルタ３０９に水は吸水される。加湿フィルタ３０９で気化されずに下方に落下した水は、加湿フィルタ３０９の下方部の加湿トレー３０７に落下する。
【００６９】
加湿機ポンプ２６０は、加湿トレー３０７から散水部材３０８まで送水する。接続管３１３は、散水部材３０８と加湿機ポンプ２６０とを連通する。
【００７０】
加湿トレー３０７の水は、吸込孔２６１ｃに吸込まれる。吸込孔２６１ｃに吸込まれた水は、第１水流ＷＤに沿って流れる。第１水流ＷＤに沿って流れた水は、羽根車２０１によって、第２水流ＷＥに沿って吹出される。第２水流ＷＥに沿って吹出された水は、排出孔２６１ｂに吸込まれる。排出孔２６１ｂに吸込まれた水は、第２水流ＷＥに沿って流れる。第２水流ＷＥに沿って流れた水は、排出孔２６１ｂから、散水部材３０８に排出される。よって、加湿フィルタ３０９は水を吸水できる。
【００７１】
以上、図面を参照しながら本発明の実施形態について説明した。但し、本発明は、上記の実施形態に限られるものではなく、その要旨を逸脱しない範囲で種々の態様において実施することが可能である。また、上記の実施形態に開示されている複数の構成要素を適宜組み合わせることによって、種々の発明の形成が可能である。例えば、実施形態に示される全構成要素から幾つかの構成要素を削除してもよい。更に、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【００７２】
図１〜図１０を参照して説明したように、実施形態２に係るポンプ及び羽根車は、加湿装置３００に用いられたが、本発明はこれに限定されない。実施形態１及び実施形態２に係るポンプ及び羽根車は、加湿装置３００以外に、例えば、電子機器、又は、飼育用水槽等のペット飼育機器に用いられてもよい。
【実施例】
【００７３】
以下、実施例を用いて本発明を更に具体的に説明する。しかし、本発明は実施例の範囲に何ら限定されない。
【００７４】
＜実施例１＞
実施例１に係る羽根車を準備した。実施例１に係る羽根車は、６枚の第１羽根と６枚の第２羽根とを備える。６枚の第１羽根と６枚の第２羽根との各々の形状は、中央部が回転方向と反対方向に突出する円弧状である。第１間隔は、第２間隔より小さい。第１長さは、円板部の半径の２０％である。第２長さは、円板部の半径の２０％である。
【００７５】
＜実施例２＞
実施例２に係る羽根車を準備した。第１長さが円板部の半径の２０％であることに代えて、円板部の半径の４０％であること以外は、実施例２に係る羽根車は実施例１に係る羽根車と同様な構成を有する。
【００７６】
＜実施例３＞
実施例３に係る羽根車を準備した。第１長さが円板部の半径の２０％であることに代えて、円板部の半径の５０％であること以外は、実施例３に係る羽根車は実施例１に係る羽根車と同様な構成を有する。
【００７７】
＜実施例４＞
実施例４に係る羽根車を準備した。第１長さが円板部の半径の２０％であることに代えて、円板部の半径の６０％であること以外は、実施例４に係る羽根車は実施例１に係る羽根車と同様な構成を有する。
【００７８】
＜実施例５＞
実施例５に係る羽根車を準備した。第１長さが円板部の半径の２０％であることに代えて、円板部の半径の７０％であること以外は、実施例５に係る羽根車は実施例１に係る羽根車と同様な構成を有する。
【００７９】
＜実施例６＞
実施例６に係る羽根車を準備した。第１長さが円板部の半径の２０％であることに代えて、円板部の半径の８０％であること以外は、実施例６に係る羽根車は実施例１に係る羽根車と同様な構成を有する。
【００８０】
＜実施例７＞
実施例７に係る羽根車を準備した。第１長さが円板部の半径の２０％であることに代えて、円板部の半径の９０％であること以外は、実施例７に係る羽根車は、実施例１に係る羽根車と同様な構成を有する。
【００８１】
＜実施例８＞
実施例８に係る羽根車を準備した。第１長さが円板部の半径の２０％であることに代えて、円板部の半径の１００％であること以外は、実施例８に係る羽根車は実施例１に係る羽根車と同様な構成を有する。
【００８２】
＜比較例１＞
比較例１に係る羽根車を準備した。第１長さＬＡが円板部の半径の２０％であることに代えて、円板部の半径の１１０％であること以外は、比較例１に係る羽根車は実施例１に係る羽根車と同様な構成を有する。
【００８３】
＜評価＞
実施例１〜実施例８及び比較例１に係る羽根車を用いて、第１領域から第２領域まで４Ｌの水を送水したときの時間を測定した。評価結果を表１及び図１１に示す。図１１は、評価結果を示す図である。
【００８４】
【表１】
0006982111.tif 000002
【００８５】
実施例１〜実施例８に係る羽根車を用いた場合、すなわち第１長さが本体部の半径以下である場合、送水に必要な時間は２２秒未満であった。一方、比較例１に係る羽根車を用いた場合、すなわち第１長さが本体部の半径を超えた場合、送水に必要な時間は２２秒以上であった。すなわち、実施例１〜実施例８に係る羽根車を用いた場合には、第１領域から第２領域まで４Ｌの水を短時間で送水できた。
【００８６】
＜実施例９＞
実施例９に係る羽根車を準備した。羽根車は、６枚の第１羽根と６枚の第２羽根とを備える。６枚の第１羽根と６枚の第２羽根との各々の形状は、中央部が回転方向と反対方向に突出する円弧状である。第１間隔は、第２間隔より小さい。第１長さは、円板部の半径の５３％である。第２長さは、第１長さの２５％である。
【００８７】
＜実施例１０＞
実施例１０に係る羽根車を準備した。第２長さが第１長さの２５％であることに代えて、第１長さの５０％であること以外は、実施例１０に係る羽根車は実施例９に係る羽根車と同様な構成を有する。
【００８８】
＜実施例１１＞
実施例１１に係る羽根車を準備した。第２長さが第１長さの２５％であることに代えて、第１長さの７５％であること以外は、実施例１１に係る羽根車は実施例９に係る羽根車と同様な構成を有する。
【００８９】
＜実施例１２＞
実施例１２に係る羽根車を準備した。第２長さが第１長さの２５％であることに代えて、第１長さの１００％であること以外は、実施例１２に係る羽根車は実施例９に係る羽根車と同様な構成を有する。
【００９０】
＜評価＞
実施例９〜実施例１２に係る羽根車を用いて、第１領域から第２領域まで４Ｌの水を送水した時間を測定した。評価結果を表２に示す。
【００９１】
【表２】
0006982111.tif 000003
【００９２】
実施例９〜実施例１２に係る羽根車を用いた場合、すなわち第２長さが第１長さ以下である場合、送水に必要な時間は２１秒未満であった。すなわち、実施例９〜実施例１２に係る羽根車を用いた場合には、第１領域から第２領域まで４Ｌの水を短時間で送水できた。実施例１０及び実施例１１に係る羽根車を用いた場合、すなわち第２長さが第１長さの５０％以上７５％以下である場合、送水に必要な時間は２０秒未満であった。すなわち、実施例１０及び実施例１１に係る羽根車を用いた場合には、第１領域から第２領域まで４Ｌの水を、より短時間で送水できた。
【産業上の利用可能性】
【００９３】
本発明は、羽根車、ポンプ及び加湿装置を提供するものであり、産業上の利用可能性を有する。
【符号の説明】
【００９４】
１、２０１      羽根車
１０、２１０    本体部
１１、２１１    回転軸部
１２、２１２    円板部
２０、２２０    第１羽根
２０ａ、２２０ａ  外方端部
２０ｂ、２２０ｂ  内方端部
３０、２３０    第２羽根
３０ａ、２３０ａ  外方端部
３０ｂ、２３０ｂ  内方端部
５０、２５０    羽根車本体
６０、２６０    水槽ポンプ（ポンプ）
６１、２６１    上側筐体
６１ａ、２６１ａ  筐体本体部
６１ｂ、２６１ｂ  排出孔
６１ｃ  モータ連結孔
６２    下側筐体
６２ａ  筐体本体部
６２ｂ  吸込孔
２６０  加湿機ポンプ（ポンプ）
３００  加湿装置
３０７  加湿トレー
３０９  加湿フィルタ
３１０  加湿部
ＡＲ    回転方向
ＡＸ    回転軸線
ＲＡ    半径
【図１】
0006982111.tif 000004
【図２】
0006982111.tif 000005
【図３】
0006982111.tif 000006
【図４】
0006982111.tif 000007
【図５】
0006982111.tif 000008
【図６】
0006982111.tif 000009
【図７】
0006982111.tif 000010
【図８】
0006982111.tif 000011
【図９】
0006982111.tif 000012
【図１０】
0006982111.tif 000013
【図１１】
0006982111.tif 000014